(57)【特許請求の範囲】
【請求項１】
インフレータをリテーナで保持させてエアーバッグの切り口より内部に組み付け、該インフレータの発生ガス圧により膨張展開可能なエアーバッグを開閉自在なモジュールケースの内部に収容したエアーバッグ装置を備え、該エアーバッグ装置をバックパッドの側部に設けた空洞内に位置させてシートバックフレームのサイドプレートに取り付け、該エアーバッグ装置の装備側を被包するトリムカバーの縫い合わせ目でエアーバッグの膨張展開に伴うトリムカバーの破断部を形成し、該トリムカバーの破断部となる縫い合わせ目と片端部で縫い合わせてエアーバッグ装置を包む二枚の力布をトリムカバーの内側に備えるサイドエアーバッグ装置装備シートにおいて、
前記エアーバッグの切り口を前記リテーナとで押えるブラケットプレートを前記モジュールケースの内部に備え、該ブラケットプレートの片端部を略直角に折り曲げて前記モジュールケースの外側に連続するフランジ部を設け、該ブラケットプレートのフランジ部を前記モジュールケースの開放口側に突出させて配置し、
更に、前記モジュールケースと前記サイドプレートの間に挟込み固定するあてがいプレートを備え、該あてがいプレートの片端部を略直角に折り曲げてフランジ部を設け、前記モジュールケースを介して該あてがいプレートのフランジ部を前記ブラケットプレートのフランジ部と相対側に突出させて配置し、
前記片方の力布をバックパッドの開口縁から空洞内に引き込んで前記ブラケットプレートのフランジ部に連結固定し、前記他方の力布をモジュールケースの前部側からバックパッドの空洞内に引き込んで前記あてがいプレートのフランジ部に連結固定してなることを特徴とするサイドエアーバッグ装置装備シート。
【発明の詳細な説明】
【０００１】
【発明の属する技術分野】
本発明は、ガス圧により膨張展開可能なエアーバッグを開閉自在なモジュールケースの内部に収容したエアーバッグ装置を備え、そのエアーバッグ装置をシートバックの側部に装備するサイドエアーバッグ装置装備シートの改良に関するものである。
【０００２】
【従来の技術】
従来、サイドエアーバッグ装置装備シートとしては、トリムカバーを袋状に縫製する前面カバー部と側面カバー部との縫い合わせ目からトリムカバーの破断部を形成すると共に、二枚の力布をトリムカバーの破断部となる縫い合わせ目に片端部で縫い合わせてトリムカバーの内側に備え、その力布によりエアーバッグ装置を包み込んでシートバックフレームのサイドプレートに取付け装備するものが提案されている（特開平１１−７８７６２号）。
【０００３】
そのサイドエアーバッグ装置装備シートでは、エアーバッグの膨張圧を力布によりトリムカバーの破断部となる縫い合わせ目に集中させ、その縫い合わせ目を容易に切れ出させてエアーバッグを外方に確実に膨張展開できると共に、エアーバッグの膨張バランス，展開方向性も安定よく定められるところから好ましい。
【０００４】
そのサイドエアーバッグ装置装備シートにおいて、力布はモジュールケースを含むエアーバッグ装置全体を簡単に包み込めるよう組み付けられ、また、エアーバック装置を直に包み込んでエアーバッグの膨張圧をトリムカバーの破断部となる縫い合わせ目に効率よく集中させ、エアーバッグを確実に膨張展開できるよう備え付ける必要がある。
【０００５】
【発明が解決しようとする課題】
本発明は、モジュールケースを含むエアーバッグ装置全体を包み込んで力布を簡単に組み付けられ、また、エアーバック装置を直に包み込んでエアーバッグの膨張圧をトリムカバーの破断部となる縫い合わせ目に効率よく集中させ、エアーバッグを速やかに膨張展開できるよう力布を備え付けられるサイドエアーバッグ装置装備シートを提供することを目的とする。
【０００６】
【課題を解決するための手段】
本発明に係るサイドエアーバッグ装置装備シートにおいては、インフレータをリテーナで保持させてエアーバッグの切り口より内部に組み付け、該インフレータのガス圧により膨張展開可能なエアーバッグを開閉自在なモジュールケースの内部に収容したエアーバッグ装置を備え、該エアーバッグ装置をバックパッドの側部に設けた空洞内に位置させてシートバックフレームのサイドプレートに取り付け、該エアーバッグ装置の装備側を被包するトリムカバーの縫い合わせ目でエアーバッグの膨張展開に伴うトリムカバーの破断部を形成し、該トリムカバーの破断部となる縫い合わせ目と片端部で縫い合わせてエアーバッグ装置を包む二枚の力布をトリムカバーの内側に備えるサイドエアーバッグ装置装備シートにおいて、
前記エアーバッグの切り口を前記リテーナとで押えるブラケットプレートを前記モジュールケースの内部に備え、該ブラケットプレートの片端部を略直角に折り曲げて前記モジュールケースの外側に連続するフランジ部を設け、該ブラケットプレートのフランジ部を前記モジュールケースの開放口側に突出させて配置し、
更に、前記モジュールケースと前記サイドプレートの間に挟込み固定するあてがいプレートを備え、該あてがいプレートの片端部を略直角に折り曲げてフランジ部を設け、前記モジュールケースを介して該あてがいプレートのフランジ部を前記ブラケットプレートのフランジ部と相対側に突出させて配置し、
前記片方の力布をバックパッドの開口縁から空洞内に引き込んで前記ブラケットプレートのフランジ部に連結固定し、前記他方の力布をモジュールケースの前部側からバックパッドの空洞内に引き込んで前記あてがいプレートのフランジ部に連結固定することにより構成されている。
【０００７】
【発明の実施の形態】
以下、添付図面を参照して説明すると、図１はエアーバッグ装置Ｅを車の前方側から見て右側部に収容装備するアシスタントシートのシートバックＢを示す。このシートバックＢにおいては、エアーバッグ装置Ｅがエアーバッグをインフレータから生ずるガス圧で開放可能なモジュールケースの内部に収容すると共に、インフレータを車体側に装備する衝撃センサーと回路接続することにより備え付けられている。
【０００８】
エアーバッグ装置Ｅは、図２で示すようにエアーバッグ１をインフレータ２と共に、モジュールケース３の内部に収容することにより構成されている。そのエアーバッグ１は、図３で示すようにインフレータ２から発生するガス圧で膨張展開可能に折り畳まれるバッグ本体１ａと、バッグ本体１ａより幅狭な取付け基部１ｂとから袋状を呈するよう縫製されている。このエアーバッグ１には、インフレータ２を内部に組み付ける切り口１ｃが取付け基部１ｂに設けられている。
【０００９】
そのエアーバッグ１には、インフレータ２が取付け基部１ｂの内部に組み付けられる。インフレータ２は、エアーバッグ１の膨張展開に要するガスをインフレータ本体２ａから発生するもので、衝撃センサー等の関連機器と回路構成するのに必要なハーネス２ｂ，コネクタ２ｃを備えて構成されている。
【００１０】
そのインフレータ２は、インフレータ本体２ａを挿通保持するリテーナ４と共に、エアーバッグ１の内部に組み付けられる。リテーナ４はインフレータ本体２ａを嵌込み保持する略円筒状のホルダー４ａと、設置板となるベースプレート４ｂと、ベースプレート４ｂに植立固定する締付けボルト４ｃ，４ｄとを備えて構成されている。
【００１１】
エアーバッグ１には、バッグ全体を折畳んで外側より包み込む包み布５が備え付けられる。この包み布５は、エアーバッグ１と同材質の布材或いは強度を有する別の布材により形成されている。その包み布５は、片端末をエアーバッグ１の片側面に縫い合わせて止着し、エアーバッグ１を包み込んでから、他端末をエアーバッグ１の外部に突き出るリテーナ４の締付けボルト４ｃ，４ｄに止め穴５ａ，５ｂで掛け止められるよう備え付けられる。この包み布５には、エアーバック１の膨張圧により破断線５ｃが設けられている。
【００１２】
モジュールケース３としては、図２並びに図４で示すようにケース蓋３０と、ケース本体３１とを一体に樹脂成形したものが備え付けられている。そのケース蓋３０は、基部側がケース本体３１とフィルムヒンジで開閉自在に連結することにより形成されている。開放口は、ケース本体３１の開放縁より立ち上るフック３２と、ケース蓋３０に設けた掛止め穴３３との着脱で開閉可能に形成されている。
【００１３】
そのモジュールケース３には、ガス漏れを防ぐようエアーバッグ１の切り口１１ｃをリテーナ４のベースプレート４ｂとで押えるブラケットプレート６が内部に組み付けられている。このブラケットプレート６は片端部より略直角に折り曲げてモジュールケース３の外側に連続するフランジ部６０を有し、掛止めピン６１をフランジ部６０の突端側に設けた止め輪６２で保持することにより構成されている。フランジ部６０は、モジュールケース３の開放口側に突出するよう配置されている。
【００１４】
そのエアーバッグ装置Ｅは、図５で示すようにバックパッド７の側部に設けた空洞８に収容位置すると共に、モジュールケース３より突出する締付けボルト４ｃでシートバックフレーム９のサイドプレート１０に取付け固定し、バックパッド７の空洞８を含む全体をトリムカバー１１で被包することによりシートバックＢの内部に装備されている。
【００１５】
それに加えて、あてがいプレート１２がモジュールケース３とサイドプレート１０の間に挟込み固定することにより備え付けられている。このあてがいプレート１２は片端部より略直角に折り曲げてフランジ部１２ａを設け、掛止めピン１２ｂをフランジ部１２ａの突端側に設けた止め輪１２ｃで保持することにより構成されている。あてがいプレート１２のフランジ部１２ａは、モジュールケース３を介し、ブラケットプレート６のフランジ部６０と相対側に突出するよう配置されている。
【００１６】
その構成中、トリムカバー１１としては本革，合皮，ファブリック等の単材または表皮材，ワディング材，裏打材を三者一体に積層形成したワディングカバーを用いて形成できる。このトリムカバー１１は土手部を有するシートバックＢに対応し、図６で示すように座面中央から左右の土手面を被包する前面カバー部１１ａと周側面から背面に至る側面カバー部１１ｂとを縫い合わせ、更に、背面カバー部１１ｃをスライドファスナー１１ｄで開閉自在に備えることにより袋状に縫製されている。
【００１７】
そのトリムカバー１１には、座面中央から左右の土手面を被包する前面カバー部１１ａと周側面から背面に至る側面カバー部１１ｂとの縫い合わせ目から、エアーバッグの膨張展開に伴う破断部１３が形成されている。この破断部１３となる縫い合わせ目は、８番手程度の糸と２０番手程度の糸とを上下の縫い糸として縫い合わせることにより通常の使い勝手に耐えられる強度を保ってエアーバッグの膨張による応力で裂断し易く縫製できる。
【００１８】
そのトリムカバー１１には、破断部１３を形成する縫い合わせ目と片端部を内外に重ねて縫い合わせることにより、二枚の力布１４，１５が内側に備え付けられている。この力布１４，１５は、ポリエステル不織布や綿布等のエアーバッグの膨張圧を受けても伸びの少ない材質のものを用いて形成されている。また、自由端側には掛止めフック１６ａ，１６ｂ、１７ａ，１７ｂを有するトリムコード１６，１７が備え付けられている。
【００１９】
その力布１６，１７は、図５で示すようにトリムカバー１１の破断部１３となる縫い合わせ目から二方向に分け、片方１４はバックパッド７の開口縁から空洞８の内側に引き込み、トリムコード１６の掛止めフック１６ａ，１６ｂを掛止めピン６１に掛け止めてブラケットプレート６のフランジ部６０に連結固定する。
【００２０】
他方の力布１５は、モジュールケース３の前部側からバックパッド７の空洞８に引き込み、トリムコード１７の掛止めフック１７ａ，１７ｂを掛止めピン６１に掛け止めてあてがいプレート１２のフランジ部１２ａに連結固定することにより組み付けられている。
【００２１】
なお、力布１６，１７の連結固定は、図７で示すように掛止めフック６２’をブラケットプレート６（あてがいプレート１２も同様）に設け、掛止めピンを力布の端末に備えることによっても行える。
【００２２】
【発明の効果】
以上の如く、本発明に係るサイドエアーバッグ装置装備用シートに依れば、フランジ部が開放口側に突出するブラケットプレートをモジュールケースの内部に備えると共に、フランジ部がモジュールケースを介してブラケットプレートのフランジ部と相対側に突出するあてがいプレートをモジュールケースとサイドプレートの間に挟込み固定し、片方の力布をバックパッドの開口縁から空洞内に引き込んでブラケットプレートのフランジ部に連結固定し、他方の力布をモジュールケースの前部側からバックパッドの空洞内に引き込んであてがいプレートのフランジ部に連結することにより、モジュールケースを含むエアーバッグ装置全体を包み込んで力布を簡単に組み付けられ、また、エアーバック装置を直に包み込んでエアーバッグの膨張圧をトリムカバーの破断部となる縫い合わせ目に効率よく集中させ、エアーバッグを速やかに膨張展開できるよう力布を備え付けられる。
【図面の簡単な説明】
【図１】本発明に係るサイドエアーバッグ装置装備シートのシートバックを示す斜視図である。
【図２】本発明に係るサイドエアーバッグ装置装備シートに備えるエアーバック装置を示す断面図である。
【図３】本発明に係るサイドエアーバッグ装置装備シートに備えるエアーバック装置のエアーバッグ並びにインフレータ，リテーナを示す展開斜視図である。
【図４】本発明に係るサイドエアーバッグ装置装備シートに備えるエアーバック装置のモジュールケースを示す斜視図である。
【図５】本発明に係るサイドエアーバッグ装置装備シートの主要部を示す断面図である。
【図６】本発明に係るサイドエアーバッグ装置装備シートを構成するトリムカバーを示す斜視図である。
【図７】本発明に係るサイドエアーバッグ装置装備シートに備えるエアーバック装置の別のモジュールケースを示す斜視図である。
【符号の説明】
Ｂ                  シートバック
Ｅ                  エアーバッグ装置
３                  モジュールケース
６                  ブラケットプレート
６０ フランジ部
７                  バックパッド
８                  バックパッドの空洞
９                  シートバックフレーム
１０                サイドプレート
１１                トリムカバー
１２                あてがいプレート
１２ａ フランジ部
１３                トリムカバーの破断部
１４，１５          力布
【図１】
0004431764.tif 000002
【図２】
0004431764.tif 000003
【図３】
0004431764.tif 000004
【図４】
0004431764.tif 000005
【図５】
0004431764.tif 000006
【図６】
0004431764.tif 000007
【図７】
0004431764.tif 000008